(57)【特許請求の範囲】
【請求項１】
開口部の縁にフランジを備えたコップのフタであり、
フタ本体部が紙で形成されるとともに、
前記フタ本体部は前記フランジに沿うように複数形成されたフタ留め部を備え、
前記フタ留め部は、ハーフカット部と、前記ハーフカット部の両側に前記フランジの外径に沿うように形成されたフルカット線と、を有し、
前記ハーフカット部は、前記フタ本体部の裏面側から前記フランジの外径に沿うように切り込まれた第１のハーフカット線と、前記第１のハーフカット線から内側に向けて前記フタ本体部の表面側から切り込まれた第２のハーフカット線と、を有し、
使用時には、前記第１のハーフカット線と第２のハーフカット線とで囲まれた領域を表面側で且つ周縁側と繋がった掛止部と裏面側で且つ内側と繋がった封止部とに剥離して、前記掛止部を前記フランジの下端に引掛けるとともに、前記封止部が前記コップを閉塞することを特徴とするコップ用フタ。
【請求項２】
フタ留め部が、フルカット線の両端からフタ本体部の周縁に向けて形成された折用罫線を有することを特徴とする請求項１記載のコップ用フタ。
【請求項３】
フタ本体部の下に前記フランジの外径と略同等の寸法の内蓋部をさらに有することを特徴とする請求項１または請求項２に記載のコップ用フタ。
【請求項４】
内蓋部が上方に突出した突起部を備え、
前記突起部は前記封止部に当接するように位置して、使用時に前記封止部が前記突起部を介して前記内蓋部をフランジ側に押圧することを特徴とする請求項３記載のコップ用フタ。
【請求項５】
１つの第１のハーフカット線と両側のフルカット線とを一つの円弧と見なした時に、前記円弧の中心角が４５°〜５０°であることを特徴とする請求項１または請求項２に記載のコップ用フタ。
【発明の詳細な説明】
【技術分野】
【０００１】
本発明は、主に使い捨てコップ用のフタに関するものである。
【背景技術】
【０００２】
コーヒーチェーン店やコンビニエンスストア、移動店舗等にて飲料やスナック菓子などを紙コップやプラスチックカップ等の使い捨てコップに入れて提供することが一般的に行われている。尚、これら使い捨てコップのフタにはプラスチップ製のものが多く用いられる。しかしながら、近年、マイクロプラスチックによる海洋汚染など、廃プラスチックによる環境汚染が問題視されており、使い捨てプラスチック容器の使用を規制する動きが各国で進行している。このため、コップ本体のみならずフタに関しても紙製のものへの転換が求められる。ここで、紙を用いた従来の使い捨てコップのフタに関し、例えば下記［特許文献１］に記載の発明が開示されている。ここで、［特許文献１］に記載の発明は、図８に示すように、フタ本体部１０と内蓋部１２とを有し、フタ本体部１０に切り込み７、を入れて、この切り込み７の外側に位置する当接係止片５を下方に折り込んでコップ２のフランジ４に掛けることで、コップ２の開口部３を封止する。
【先行技術文献】
【特許文献】
【０００３】
【特許文献１】特開２００８−７４４８５号公報
【発明の概要】
【発明が解決しようとする課題】
【０００４】
しかしながら、本願発明者が試験したところ［特許文献１］に記載の発明では切り込み７を形成するための切り口９が存在することに加え、切り込み７の外側は当接係止片５となるため、この部分の封止が弱く、たとえ内蓋部１２を設けたとしても、この切り口９周辺の密閉性が不十分で液漏れが発生することが確認された。【０００５】
本発明は上記事情に鑑みてなされたものであり、紙を用いながら密閉性の高いコップ用フタの提供を目的とする。
【課題を解決するための手段】
【０００６】
本発明は、
（１）開口部３の縁にフランジ４を備えたコップ２のフタであり、
フタ本体部２０が紙で形成されるとともに、
前記フタ本体部２０は前記フランジ４に沿うように複数形成されたフタ留め部５０を備え、
前記フタ留め部５０は、ハーフカット部６０と、前記ハーフカット部６０の両側に前記フランジ４の外径に沿うように形成されたフルカット線６２と、を有し、
前記ハーフカット部６０は、前記フタ本体部２０の裏面側から前記フランジ４の外径に沿うように切り込まれた第１のハーフカット線６０ａと、前記第１のハーフカット線６０ａから内側に向けて前記フタ本体部２０の表面側から切り込まれた第２のハーフカット線６０ｂと、を有し、
使用時には、前記第１のハーフカット線６０ａと第２のハーフカット線６０ｂとで囲まれた領域を表面側で且つ周縁側と繋がった掛止部６４ａと裏面側で且つ内側と繋がった封止部６４ｂとに剥離して、前記掛止部６４ａを前記フランジ４の下端に引掛けるとともに、前記封止部６４ｂが前記コップ２を閉塞することを特徴とするコップ用フタ８０を提供することにより、上記課題を解決する。
（２）フタ留め部５０が、フルカット線６２の両端からフタ本体部２０の周縁に向けて形成された折用罫線６７を有することを特徴とする上記（１）記載のコップ用フタを提供することにより、上記課題を解決する。
（３）フタ本体部２０の下に前記フランジ４の外径と略同等の寸法の内蓋部４０をさらに有することを特徴とする上記（１）または（２）に記載のコップ用フタ８０を提供することにより、上記課題を解決する。
（４）内蓋部４０が上方に突出した突起部４２を備え、
前記突起部４２は前記封止部６４ｂに当接するように位置して、使用時に前記封止部６４ｂが前記突起部４２を介して前記内蓋部４０をフランジ４側に押圧することを特徴とする上記（３）記載のコップ用フタ８０を提供することにより、上記課題を解決する。
（５）１つの第１のハーフカット線６０ａと両側のフルカット線６２とを一つの円弧と見なした時に、前記円弧の中心角θが４５°〜５０°であることを特徴とする上記（１）または上記（２）に記載のコップ用フタ８０を提供することにより、上記課題を解決する。
【発明の効果】
【０００７】
本発明に係るコップ用フタは第１のハーフカット線と第２のハーフカット線とで囲まれた領域を表面側と裏面側とで剥離して、表面側を掛止部としてフランジの下部に掛け止め、また裏面側は封止部としてフランジの封止に用いる。これにより、高い密閉性を有することができる。
【図面の簡単な説明】
【０００８】
【図１】本発明に係るコップ用フタの斜視図である。
【図２】本発明に係るコップ用フタのフタ本体部の例を示す図である。
【図３】本発明に係るコップ用フタのフタ留め部を説明する図である。
【図４】本発明に係るコップ用フタのフタ留め部の他の例を示す図である。
【図５】本発明に係るコップ用フタの装着方法を説明する図である。
【図６】内蓋部を有する本発明に係るコップ用フタを説明する図である。
【図７】本発明に係るコップ用フタの他の例を示す斜視図である。
【図８】従来のコップ用フタを示す図である。
【発明を実施するための形態】
【０００９】
本発明に係るコップ用フタ８０の実施の形態について図面に基づいて説明する。ここで、図１（ａ）はフタ本体部２０を単体でコップ用フタ８０として用いる構成の斜視図であり、図１（ｂ）はフタ本体部２０と内蓋部４０とを用いる構成の分解斜視図である。
【００１０】
本発明に係るコップ用フタ８０は開口部３の縁にフランジ４を備えたコップ２に装着して、このコップ２の開口部３を閉塞するものであり、フタ本体部２０はある程度の強度を備えた所定の厚みの紙で形成される。尚、コップ用フタ８０を飲料等の液体用のコップ２に用いる場合には、フタ本体部２０に使用する紙として表面に耐水性の被膜がコーティングされた耐水コート紙を用いることが好ましい。この耐水被膜の材料としては、例えばＰＥＴ（ポリエチレンテレフタレート）、ＰＰ（ポリプロピレン）、ポリ塩化ビニル、熱可塑性樹脂等の合成樹脂やアルミニウム等の金属被膜等、一般的な被膜材料を用いることができる。ただし、コップ用フタ８０を例えばポップコーン等の汁の無い食品用のコップ２に用いる場合には耐水被膜は必ずしも必要なく、ある程度の強度を有していれば如何なる紙を用いても良い。
【００１１】
また、フタ本体部２０の形状に関しては特に限定は無く、図２（ａ）に示すように円形としても良いし、図２（ｂ）に示すように方形としても良い。また、図２（ｃ）〜（ｅ）に示すように任意の多角形としても良いし、図２（ｆ）に示すように円弧を組み合わせた形としても良い他、フタ本体部２０の機能を損なわない範囲で如何なる形状にしても良い。そして、このフタ本体部２０にはコップ２のフランジ４に沿うようにフタ留め部５０が複数形成される。尚、フタ留め部５０の個数に関しては特に限定は無く２個以上であれば良いが、３個〜６個とすることが好ましい。
【００１２】
次に、図３を用いてフタ留め部５０の構成に関して説明を行う。尚、ここでは円形でフタ留め部５０が４個のフタ本体部２０を例に用いる。ここで、図３（ａ）はフタ本体部２０の上面図であり、図３（ｂ）はＸ−Ｘ部分断面拡大図である。図３（ａ）に示すようにフタ留め部５０は、ハーフカット部６０と、このハーフカット部６０の両側に設けられた２つのフルカット線６２と、を有している。そして、フルカット線６２はフランジ４の外径と同等もしくはこれよりも若干大きい径でフランジ４の外径に沿うように形成される。尚、ここでのフルカット線とはフタ本体部２０を貫通して形成する通常のカットラインである。
【００１３】
また、ハーフカット部６０は、図３（ａ）、（ｂ）に示すように、フタ本体部２０の裏面側から切り込まれた第１のハーフカット線６０ａと、この第１のハーフカット線６０ａの両端から内側（フタ本体部２０の中心方向）に向けてフタ本体部２０の表面側から切り込まれた第２のハーフカット線６０ｂと、を有している。尚、ここでのハーフカット線とはフタ本体部２０の概ね半分の深さでフタ本体部２０を貫通しないように形成したカットラインである。そして、第１のハーフカット線６０ａはフルカット線６２と同様にフランジ４の外径と同等もしくはこれよりも若干大きい径でフランジ４の外径に沿うように形成される。
【００１４】
また、第２のハーフカット線６０ｂの形状に関しても特に限定は無く、図２（ａ）、（ｂ）に示すように弧状としても良いし、図２（ｃ）に示すように角状としても良い。また、図２（ｄ）に示すように直線状としても良いし、図２（ｅ）、（ｆ）に示すように波状、台形形状等、如何なる形としても良い。ただし、第１のハーフカット線６０ａから第２のハーフカット線６０ｂの内端までの長さはフランジ４の幅と同等もしくは若干（概ね３ｍｍ以下）大きくすることが好ましい。
【００１５】
また、１つの第１のハーフカット線６０ａと両側のフルカット線６２とを一つの円弧と見なした時に、図３（ａ）に示すこの円弧の中心角θは４５°〜５０°とすることが好ましい。ここで、中心角θが４５°未満の場合、フタ留め部５０の寸法的な余裕が少なくコップ２への装着が行い難い。また、中心角θが５０°を超えると反対にフタ留め部５０の余裕が大きすぎて後述するフタ本体部２０への密着力が減少し密閉性が低下する。さらに、フタ留め部５０は、図４に示すように、フルカット線６２の両端からフタ本体部２０の周縁に向けて所定の曲率で湾曲した弧状もしくは直線状の折用罫線６７を有していても良い。尚、この折用罫線６７はフタ本体部２０の表面側から凸状の金型を押圧して窪ませた周知の折れ線により形成することが好ましい。
【００１６】
次に、コップ用フタ８０の装着方法（使用方法）をフタ本体部２０を単体で用いる構成を例に説明する。尚、内蓋部４０を用いる構成の装着方法は、フタ本体部２０とフランジ４との間に内蓋部４０を挟んだ上で同様の方法により装着を行うのみで、基本的な装着手順は全く同じである。
【００１７】
ここで、図５（ａ）、（ｂ）、（ｃ）は本発明に係るフタ留め部５０の模式的な断面図である。また、図５（ａ’）、（ｂ’）、（ｃ’）は本発明に係るフタ留め部５０を側方から模式的に示した図である。先ず、図５（ａ）、（ａ’）に示すように飲料や食品が入ったコップ２の開口部３にフタ本体部２０を被せる。次に図５（ｂ）、（ｂ’）に示すように、フタ留め部５０の縁側を摘まんでハーフカット部６０を表面側と裏面側とに剥離する。これにより、第１のハーフカット線６０ａと第２のハーフカット線６０ｂとで囲まれた領域は、表面側で且つ周縁側と繋がった掛止部６４ａと裏面側で且つ内側と繋がった封止部６４ｂとに分離する。次に、掛止部６４ａを下方に折り曲げる。この際、図４に示す折用罫線６７を備えた構成では、掛止部６４ａを折用罫線６７に沿って最適な部位及び状態で折り曲げることができる。次に、図５（ｃ）、（ｃ’）に示すように、その先端部をフランジ４とコップ本体の周面との隙間に挿し入れて掛け止める。または掛止部６４ａを折り畳み、折り畳んだ部位をフランジ４とコップ本体の周面との隙間に捻じ込んで掛け止める。そして、上記の作業を全てのフタ留め部５０に対して行う。これにより、コップ用フタ８０（フタ本体部２０）はコップ２に嵌ってロックされ開口部３を封止する。そしてこのとき、各掛止部６４ａはフランジ４によって下方に押圧され、この押圧力は封止部６４ｂを含むフタ本体部２０をフランジ４側に密着させる密着力として作用する。これにより、本発明に係るコップ用フタ８０は優れた密閉性を有する。特に、図４に示す折用罫線６７を備えた構成では、フタ留め部５０を折用罫線６７に沿った最適な状態で封止することができるため極めて高い密閉性を得ることができる。また、本発明に係るコップ用フタ８０は封止部６４ｂが存在するため、従来のフタ本体部１０とは異なりフランジ４の上面を隙間なく封止する。また、掛止部６４ａをハーフカットで形成するため、従来のフタ本体部１０のように切り口９がフランジ４の位置に存在せず、従来よりも高い密閉性を有することができる。
【００１８】
また、本発明に係るコップ用フタ８０は、図１（ｂ）に示すように、フタ本体部２０の下にフランジ４の外径と略同等寸法の内蓋部４０を設けるようにしても良い。この内蓋部４０の材質としてはフタ本体部２０と同様に耐水被膜を有する耐水コート紙を用いることが好ましい。また、内蓋部４０自体を例えばセルロース等の植物由来の原料を用いた生分解性の素材で構成するようにしても良い。この内蓋部４０を用いた構成では、図６（ａ）に示すように、内蓋部４０の厚みの分だけ密着力が増大し、密閉性を更に向上することができる。また、内蓋部４０を有する構成では内蓋部４０が開口部３を封止し、封止部６４ｂ及びフタ本体部２０は内蓋部４０を押圧する役割を果たすこととなる。ここで、封止部６４ｂはハーフカット部６０を剥離して形成するためフタ本体部２０よりも厚みが薄く、他の部位と比較して強度が低い。この点、内蓋部４０を有する構成では、前述のように内蓋部４０が開口部３を封止するため、密閉性に加え密閉度の信頼性をも向上することができる。
【００１９】
さらに、内蓋部４０は、上方に突出した突起部４２を封止部６４ｂが当接する位置に有していても良い。この突起部４２は、個別に作製された突起部４２を貼着して構成しても良いが、裏面側から凸の金型を押圧するエンボス加工により形成することが特に好ましい。そして、突起部４２を有する構成では、図６（ｂ）に示すように、突起部４２が封止部６４ｂを突き上げて湾曲させ、この封止部６４ｂの弾性力もフタ本体部２０への密着力として作用させる。即ち、湾曲した封止部６４ｂの弾性力が突起部４２を介して内蓋部４０をフランジ４側に押圧し密着力として作用する。これにより、コップ２への密閉性をさらにより一層向上することができる。
【００２０】
ここで、フタ留め部５０の各部の寸法を最適化したフタ本体部２０と突起部４２を備えた内蓋部４０とで７分目まで水を入れた７オンス（２０５ｍｌ）の紙コップ２を封止し、この状態で真横に倒したところ数分間水漏れは発生せず、これにより本発明に係るコップ用フタ８０の高い密閉性が確認された。また、折用罫線６７を備え各部の寸法を最適化しフタ本体部２０単体で７分目まで水を入れた７オンスの紙コップ２を封止し、この状態で真横に倒したところ数分間水漏れは発生せず、このことからも本発明に係るコップ用フタ８０の高い密閉性が確認された。
【００２１】
また、フタ本体部２０には図７（ａ）に示すようにハーフカット等により形成したストロー孔２２を設けても良い。尚、コップ用フタ８０が内蓋部４０を有する場合には、内蓋部４０側にも第２のストロー孔２２ａを設ける。尚、内蓋部４０側の第２のストロー孔２２ａは予め切り抜いておいても良いし、ハーフカットやフルカットのミシン目等で形成しても良い。そして、これらストロー孔２２、２２ａはユーザがストローを突き刺すことで貫通し、ユーザはコップ２内の飲料をコップ用フタ８０を装着したまま飲むことができる。
【００２２】
またさらに、コップ用フタ８０を食品用のコップ２に用いる場合、図７（ｂ）に示すように取出口２４を設けても良い。尚、コップ用フタ８０を食品用のコップ２に用いる場合、要求される密閉性は高くないため、この取出口２４はハーフカットの他にフルカットのミシン目等で形成することも可能である。また、食品用のコップ２の場合、基本的に内蓋部４０は必要ないが、コップ用フタ８０が内蓋部４０を有する場合には、内蓋部４０側にも第２の取出口を設ける。そして、これら取出口２４を開封することでユーザはコップ２内の食品をコップ用フタ８０を装着したまま取出して食べることができる。
【００２３】
以上のように、本発明に係るコップ用フタ８０は第１のハーフカット線６０ａと第２のハーフカット線６０ｂとで囲まれた領域を表面側と裏面側とで剥離して、表面側を掛止部６４ａとしてフランジ４の下部に掛け止め、また裏面側は封止部６４ｂとしてフランジ４の封止に用いる。これにより、フランジ４の上面は隙間なく封止されることに加え、従来のフタ本体部１０とは異なり切り口９がフランジ４の位置に存在しない。このため、高い密閉性を有することができる。また、内蓋部４０をフタ本体部２０の下に設置する構成では、さらなる密閉性の向上を図ることができる。またさらに、内蓋部４０が突起部４２を有する構成では、封止部６４ｂの弾性力がフタ本体部２０への密着力をさらに増大させる。これにより、コップ用フタ８０の密閉性をさらにより一層向上することができる。またさらに、フタ留め部５０が折用罫線６７を備えた構成ではフタ留め部５０を折用罫線６７に沿った最適な状態で封止することができるため、フタ本体部２０単体でも極めて高い密閉性を得ることができる。
【００２４】
尚、本例で示したコップ用フタ８０は一例であり、フタ本体部２０、フタ留め部５０、ハーフカット部６０、内蓋部４０等の各構成部材の形状、寸法、デザイン等は、本発明の要旨を逸脱しない範囲で変更して実施することが可能である。
【符号の説明】
【００２５】
２      コップ
４      フランジ
２０    フタ本体部
４０    内蓋部
４２    突起部
５０    フタ留め部
６０    ハーフカット部
６０ａ  第１のハーフカット線
６０ｂ  第２のハーフカット線
６２    フルカット線
６４ａ  掛止部
６４ｂ  封止部
６７    折用罫線
８０    コップ用フタ
【要約】
【課題】紙を用いながら密閉性の高いコップ用フタを提供する。
【解決手段】このコップ用フタ８０は第１のハーフカット線６０ａと第２のハーフカット線６０ｂとで囲まれた領域を表面側と裏面側とで剥離して、表面側を掛止部６４ａとしてフランジ４の下部に掛け止め、また裏面側は封止部６４ｂとしてフランジ４の封止に用いる。これにより、フランジ４の上面は隙間なく封止されることに加え、従来のフタ本体部１０とは異なり切り口９がフランジ４の位置に存在しない。このため、高い密閉性を有することができる。また、内蓋部４０をフタ本体部２０の下に設置する構成では、さらなる密閉性の向上を図ることができる。またさらに、内蓋部４０が突起部４２を有する構成では、封止部６４ｂの弾性力がフタ本体部２０への密着力をさらに増大させる。これにより、コップ用フタ８０の密閉性をさらにより一層向上することができる。
【選択図】図１【図１】
0006718609.tif 000002
【図２】
0006718609.tif 000003
【図３】
0006718609.tif 000004
【図４】
0006718609.tif 000005
【図５】
0006718609.tif 000006
【図６】
0006718609.tif 000007
【図７】
0006718609.tif 000008
【図８】
0006718609.tif 000009